(57)【特許請求の範囲】
【請求項１】
建物開口部に設けた枠体内の上部に設けた固定障子と下部に設けていて移動可能な可動障子とを備えた上げ下げ窓であって、
前記可動障子の下框に設けられていて屋内側に突出する突出部と、
前記枠体の下枠に設けられたヒレ部と、を備え、
前記ヒレ部は前記突出部に当接または近接する第一ヒレ部を有していることを特徴とする上げ下げ窓。
【請求項２】
前記ヒレ部は、前記可動障子の下框に当接または近接する第二ヒレ部を有している請求項１に記載された上げ下げ窓。
【請求項３】
前記第二ヒレ部は、前記下框と反対側に突出する補助ヒレ部が設けられている請求項２に記載された上げ下げ窓。
【請求項４】
前記可動障子の下框は前記突出部を有する樹脂下框を備えており、
前記ヒレ部は前記樹脂下框より軟質の樹脂である請求項１から３のいずれか１項に記載された上げ下げ窓。
【請求項５】
前記枠体の下枠において、前記ヒレ部は前記第一ヒレ部と第二ヒレ部を有しており、
前記第一ヒレ部を形成した第一軟質樹脂下枠はホロー部を有しており、前記第二ヒレ部を形成した第二軟質樹脂下枠はホロー部を有しており、前記第一軟質樹脂下枠と第二軟質樹脂下枠の一方から他方に延びる第三ヒレ部によって別個のホロー部を形成するようにした請求項１に記載された上げ下げ窓。
【発明の詳細な説明】
【技術分野】
【０００１】
本発明は、住宅やビル等の各種の建物の開口部に取り付けられた上げ下げ窓に関する。
【背景技術】
【０００２】
従来、建物の開口部に取り付けた枠体内に上障子と下障子を装着して、上障子を固定保持し、下障子を上下動可能にして開口可能な上げ下げ窓が知られている。このような上げ下げ窓の一例として例えば特許文献１に記載されたものが提案されている。この上げ下げ窓は障子を閉じた状態で枠体内に上障子と下障子とが上下方向に平板状に配設されており、その室内側の左右の縦枠に形成したガイド溝は、下端部から上方に向けて斜め方向に傾斜する傾斜溝と上下方向に延びる直線溝とを有している。そして、下障子はガイド溝に沿って開閉作動することになる。
【０００３】
特許文献１に記載された上げ下げ窓１００は、図８に示す下枠部分において、下障子１０１の下框１０２の底部にガイド溝１０３に係合する支持部材１０４が形成され、支持部材１０４にはガイド溝１０３に沿って配設されたワイヤーの一端が係止され、ワイヤーの他端は縦枠の上部に配設されたバランサー内の巻き上げばねに連結されている。
下障子１０１の下框１０２には屋内側に突出する樹脂製の引手片１０６が形成され、金属または樹脂からなる下枠１０７を覆う硬質樹脂下枠１０８には下障子１０１が傾斜した際に引手片１０６を受ける軟質樹脂下枠１０９のホロー部状（筒状部形状）の壁面が形成されている。
【０００４】
そして、上げ下げ窓１００の開放時には、図９に示すように、下障子１０１を倒してその下端の支持部材１０４を支点として屋内側に傾斜させ、引手片１０６を下枠の軟質樹脂下枠１０９に近接させて所定角度の傾斜状態に保持する。次に引手部や引手片１０６等に手を掛けて下障子１０１を持ち上げると支持部材１０４とラッチ部材がガイド溝１０３にガイドされて上昇して開口し、下障子１０１はバランサーによって任意の位置で静止する開口状態になる。
【０００５】
また、上げ下げ窓１００を掃除する際には、下障子１０１を開放時より更に大きく倒してラッチ部材がガイド溝１０３を超えて屋内側に位置する傾斜状態にする。この状態で下框１０２の引手片１０６は軟質樹脂下枠１０９に当接するかより近接した傾斜姿勢となって下障子１０１はより大きく開口され、清掃可能状態になる。
また、特許文献２に記載の上げ下げ窓では、掃除状態に傾斜された下障子の引手部は下枠の軟質樹脂下枠に形成された凹部に嵌合することで保持される。
【先行技術文献】
【特許文献】
【０００６】
【特許文献１】特開２０１２−１８９７号公報
【特許文献２】特開２０１０−２１６１７２号公報
【発明の概要】
【発明が解決しようとする課題】
【０００７】
ところで、特許文献１に記載された上げ下げ窓１００では、屋内の断熱性を向上させるために上障子や下障子１０１のパネルを単層ガラスからペアガラスに、或はペアガラスからトリプルガラスに代えた場合、ガラス厚が増大するため引手片１０６部分の見込み方向の傾斜範囲を広げる必要があった。そのため、下障子１０１の下框１０２の引手片１０６と軟質樹脂下枠１０９との間の空間を増大させるため、下障子１０１と下枠との間の断熱性が低下するという欠点があった。
【０００８】
本発明は、このような課題に鑑みてなされたものであって、断熱性を高めることのできる上げ下げ窓を提供することを目的とする。
【課題を解決するための手段】
【０００９】
本発明による上げ下げ窓は、建物開口部に設けた枠体内の上部に設けた固定障子と下部に設けていて移動可能な可動障子とを備えた上げ下げ窓であって、前記可動障子の下框に設けられていて屋内側に突出する突出部と、前記枠体の下枠に設けられたヒレ部と、を備え、前記ヒレ部は前記突出部に当接または近接する第一ヒレ部を有していることを特徴とする。
本発明によれば、固定障子と可動障子を閉鎖させた状態において、枠体の下枠に、可動障子の下框に当接または近接するヒレ部を設けたため、可動障子と下枠との断熱性を向上できる。
【００１０】
しかも、可動障子の下框と下枠との間の空間に突出部と第一ヒレ部を突出させることで、空間の開口を閉鎖または小さくして断熱性を向上できる。
【００１１】
また、ヒレ部は、可動障子の下框に当接または近接する第二ヒレ部を有していることが好ましい。
可動障子の下框に当接または近接する第二ヒレ部を設けることで空間の開口を閉鎖または小さくして断熱性を向上できる。
【００１２】
また、第二ヒレ部は、下框と反対側に突出する補助ヒレ部が設けられていてもよい。
第二ヒレ部に可動障子の下框と反対側に補助ヒレ部を設けることによっても断熱性を向上できる。
【００１３】
また、可動障子の下框は突出部を有する樹脂下框を備えており、ヒレ部は樹脂下框より軟質の樹脂で形成されていてもよい。
ヒレ部を樹脂下框より軟質の樹脂で形成することで、可動障子を傾けた際にヒレ部が容易に弾性変形して逃げ、また、傾斜する可動障子の下框に指が当接しても軟質のヒレ部が弾性変形することで逃げ場が形成される。
【００１４】
また、枠体の下枠において、ヒレ部は第一ヒレ部と第二ヒレ部を有しており、第一ヒレ部を形成した第一軟質樹脂下枠はホロー部を有しており、第二ヒレ部を形成した第二軟質樹脂下枠はホロー部を有しており、第一軟質樹脂下枠と第二軟質樹脂下枠の一方から他方に延びる第三ヒレ部によって別個のホロー部を形成するようにしてもよい。
第一軟質樹脂下枠と第二軟質樹脂下枠が中空のホロー部を有すると共に第三ヒレ部によって別個のホロー部を形成することで可動障子の下框と枠体の下枠との間の断熱性を向上できる。
【発明の効果】
【００１５】
本発明による上げ下げ窓によれば、枠体の下枠に、可動障子の下框に当接または近接するヒレ部を設けたため、ヒレ部が可動障子の下框との間の空間に突出しており、ヒレ部が下框に近接していれば空間が閉鎖または小さくなって断熱性が向上し、ヒレ部が下框に当接していれば空間を閉鎖できるため断熱性が一層向上する。
【図面の簡単な説明】
【００１６】
【図１】本発明の実施形態による上げ下げ窓の正面図である。
【図２】図１に示す上げ下げ窓の枠体を除いた上下障子とバランサーを示す説明図である。
【図３】図１に示す上げ下げ窓のＡ−Ａ線断面図である。
【図４】図３に示す上げ下げ窓の下枠部分の拡大断面図である。
【図５】図１に示す上げ下げ窓のＢ−Ｂ線断面のラッチ錠装置と縦枠の部分拡大図である。
【図６】下障子が半開状態にある要部断面図である。
【図７】下障子が全開状態にある要部断面図である。
【図８】従来の上げ下げ窓の下障子と下枠部分の拡大断面図である。
【図９】下障子を開口モードに倒した状態の図である。
【発明を実施するための形態】
【００１７】
以下、本発明の実施形態による上げ下げ窓１について添付図面によって説明する。
図１乃至図７は本発明の実施形態による上げ下げ窓１を示すものである。
本実施形態による上げ下げ窓１は、図１に示すように建物の開口部に四角形枠状の枠体２と枠体２内に収められて密閉する上障子３及び下障子４とを備えている。
【００１８】
枠体２は、上枠６、下枠７、左右の縦枠８，９からなっている。枠体２内の上障子３は固定障子として枠体２に固定保持され、下障子４は可動障子として上下方向に昇降可能で開閉可能である。また、図２に示すように、左右の縦枠８，９内には上部にバランサー１１が設けられ、各バランサー１１から繰り出されるワイヤー１２の他端部は下障子４の下框２４の両端に設けた支持部材１３の支持部１３ａにそれぞれ係止されている。また、バランサー１１内にはワイヤー１２を巻き上げ方向に付勢する巻き上げばねが内蔵されており、下障子４の荷重とバランスして任意の高さ位置で下障子４を静止保持できる。
【００１９】
図３において、左右の縦枠８，９には下障子４の昇降をガイドするガイド溝１５が形成されている。ガイド溝１５は下枠７の部分から枠体２の屋内側に向けて傾斜して上方に延びる傾斜溝１５ａと上障子３と略平行に上枠６方向に延びる直線溝１５ｂとを有している。傾斜溝１５ａの水平面に対する傾斜角θは適宜設定できるものであるが、２５°から４５°の範囲に設定することが好ましい。
そして、上障子３と下障子４は閉鎖状態で枠体２内に略同一平面状に保持されて高い気密性と良好な意匠性を有しており、開口時には下障子４を傾斜させて左右の縦枠８，９に形成されたガイド溝１５に沿って上昇させることで開口するようになっている。
【００２０】
図１乃至図３において、上障子３は上框１７、下框１８、左右の縦枠１９，２０によって四角形状に形成され、内部にパネルとして複層ガラス、例えばトリプルガラス２１が収納され、上障子３は枠体２に固定されている。同様に下障子４も上框２３、下框２４、左右の縦枠２５，２６によって四角形状に形成され、内部にパネルとして複層ガラス、例えばトリプルガラス２７が収納されている。
なお、上障子３と下障子４はパネルとしてトリプルガラス２１に代えて他の複層ガラスや単層ガラス等を収納していてもよい。
【００２１】
そして、下障子４において、上框２３にはその屋内側に下障子４を屋内側に傾斜させる際に把持するための引手部３０が設けられている。引手部３０は例えば樹脂製であり、上障子３の下框１８と下障子４の上框２３と両者の隙間を覆うように上下方向と水平方向に複数のホロー部（筒状部）が積層されて形成されている。これによって上障子３の下框１８と下障子４の上框２３と両者の隙間の断熱性を向上させている。そして、図３において、上げ下げ窓１の屋内側に樹脂製の引手部３０を配設して外観の意匠性を向上させ、金属上框３４を屋外側に寄せて断熱性を高めている。
また、上框２３には、トリプルガラス２７を保持するグレージングチャンネル３２と引手部３０との間に上部補強金具３３が取り付けられてグレージングチャンネル３２を覆っている。上部補強金具３３は例えばスチール製等であり、屋内側の一端部から屋外側の他端部まで例えば階段状に形成されており、屋内側の一端部はグレージングチャンネル３２を覆って引手部３０の凹部に嵌合され、屋外側の他端部はアルミ製の金属上框３４の凹部に嵌合して固定されている。
【００２２】
また、下障子４における上框２３の見付け方向（幅方向）の両側部には、図５に示すように、後述するばね部材５８の弾性によって外側に突出するラッチ部材５７が設けられている。そして、下障子４を引手部３０で屋内側に傾斜させて、ラッチ部材５７をガイド溝１５の直線溝１５ｂに嵌合可能としている。
そして、下障子４を開閉する場合にはラッチ部材５７と支持部材１３が嵌合するガイド溝１５をガイドとして昇降可能とされている。また、上げ下げ窓１の清掃状態では、ラッチ部材５７がガイド溝１５を外れて更に屋内側に傾斜して保持されることになる。
【００２３】
次に図３及び図４に示す下障子４の下框２４において、トリプルガラス２７を保持するグレージングチャンネル３２は下部補強金具３６によって覆われており、その下側には樹脂下框３７が取り付けられている。下部補強金具３６は例えばスチール製等であり、屋内側の一端部から屋外側の他端部まで例えば階段状に形成されており、屋内側の一端部はグレージングチャンネル３２を覆って樹脂下框３７の凹部に嵌合され、屋外側の他端部はアルミ製の金属下框３８の凹部に嵌合して固定されている。なお、金属下框３８に代えて樹脂の下框を設けてもよい。
また、下部補強金具３６は上部補強金具３３と略対称に形成されていてそれぞれグレージングチャンネル３２を介してトリプルガラス２７を上下に挟持する構成を有している。しかも、上框２３と下框２４に引手部３０と樹脂下框３７をそれぞれ設置したことで、金属上框３４と金属下框３８を屋外側に寄せて断熱性を高めたことによる下障子４の強度低下を抑えて補強している。
【００２４】
また、下障子４に設けた樹脂下框３７はグレージングチャンネル３２の下部から下部補強金具３６を覆って屋内側に延びて断面階段状に形成されており、その屋内側端部には突出部として引手片３７ａが突出している。また、グレージングチャンネル３２の下部には樹脂下框３７に係合する金属下框３８が屋外側に延びて下部補強金具３６の他端部を嵌合すると共にその下方には支持部材１３が係合されており、しかも支持部材１３は下部補強金具３６にねじ固定されている。支持部材１３にはガイド溝１５に摺動可能に嵌合された支持部１３ａが設けられている。
【００２５】
また、図４に示すように、下障子４の下框２４と下枠７との間には下障子４と支持部材１３が回動して傾斜し昇降することを許容するための空間４２が形成されており、この空間４２はガイド溝１５の傾斜溝１５ａに沿った屋内側に開口４２ａを有している。そして、樹脂下框３７の引手片３７ａが開口４２ａに突出して開口を狭めている。
また、開口４２ａを形成する下枠７には例えばアルミ製の金属下枠４４が形成され、金属下枠４４の屋外側端部４４ａに固定されたパッキン４５に閉鎖状態の下障子４の金属下框３８が当接して密閉している。金属下枠４４の屋内側の側部には硬質樹脂下枠４６が連結されて金属下枠４４を部分的に覆っている。
【００２６】
そして、硬質樹脂下枠４６の開口４２ａ側部分には第一軟質樹脂下枠４８が固定されており、硬質樹脂下枠４６と第一軟質樹脂下枠４８とで断面筒状のホロー部（筒状部）を形成し、その一部には引手片３７ａに向けて斜め下方に突出する第一ヒレ部４８ａが形成されていて空間４２の開口４２ａを狭めている。第一ヒレ部４８ａは樹脂製の引手片３７ａと関連して断熱性を向上できる。図３及び図４に示す例では、第一ヒレ部４８ａは空間４２内に向けて下方に傾斜しており、操作者が下障子４を昇降させる際や子供等が誤って空間４２に指を挿入したとしても軟質樹脂であるため、容易に変位するので安全である。なお、第一ヒレ部４８ａの傾斜角度は任意である。
【００２７】
また、第一軟質樹脂下枠４８の奥側には第二軟質樹脂下枠４９が設けられ、第二軟質樹脂下枠４９に形成された矢じり部５０が硬質樹脂下枠４６に形成した凹部４６ａに嵌合して固定されている。
そして、第二軟質樹脂下枠４９は例えば断面矩形状のホロー部を形成し、その一部は樹脂下框３７に延びてその下部に当接する第二ヒレ部４９ａを形成している。しかも、第二ヒレ部４９ａの先端部には金属下枠４４に向けて突出する１または複数（図では２つ）の補助ヒレ部４９ｂが形成されている。
第二ヒレ部４９ａは空間４２を封止しているために断熱性が高く、また、補助ヒレ部４９ｂによっても断熱性を向上できる。更に、第二軟質樹脂下枠４９には第一軟質樹脂下枠４８に当接する第三ヒレ部４９ｃも形成され、硬質樹脂下枠４６と第一軟質樹脂下枠４８と第三ヒレ部４９ｃとで断面筒状のホロー部を形成しており、下枠７の部分の断熱性を高めている。
なお、第一及び第二軟質樹脂下枠４８，４９は硬質樹脂下枠４６や樹脂下框３７よりも軟質で弾性変形し易い材料で形成されている。
【００２８】
図５は下障子４に設けた左右のラッチ錠装置５５の一方を代表して示すものである。下障子４の上框２３内の左右の側部にそれぞれ設けたラッチ錠装置５５は、基板５６にラッチ部材５７が縦枠８、９方向にそれぞれ進退可能に配設され、各ラッチ部材５７に設けたばね部材５８によって突出方向に付勢されている。また、基板５６に進退可能に設けた摺動棒５９は操作部５９ａに連結されている。縦枠８、９には突出する摺動棒５９が係合する凹溝６０が形成され、摺動棒５９は操作部５９ａによって係脱可能とされている。そして、摺動棒５９を凹溝６０から外した状態で、下障子４を傾斜させることで、ラッチ部材５７がガイド溝１５に嵌合可能になる。
【００２９】
本実施形態による上げ下げ窓１は上述の構成を備えており、次にその作用を説明する。
図１及び図３に示すように下障子４が閉鎖状態にある場合には、枠体２内で上障子３と下障子４が同一面状に設置されて気密性を保持している。また、下障子４の下框２４と下枠７との空間４２は下枠７に設けた第二軟質樹脂下枠４９の第二ヒレ部４９ａで閉塞され、更に開口４２ａは樹脂下框３７の引手片３７ａと第一軟質樹脂下枠４８の第一ヒレ部４８ａとで狭めているので断熱性を向上できる。
【００３０】
この状態から、下障子４を開口作動するには、上框２３の両側に設けられた各ラッチ錠装置５５の摺動棒５９を縦枠８，９から外し、下障子４の引手部３０を操作者が把持して屋内側に引く。すると、下障子４は下端の支持部材１３を中心に屋内側に回動し、ラッチ部材５７がガイド溝１５の直線溝１５ｂに嵌合する位置で下障子４が傾斜状態に保持され、半開状態になる（図６参照）。
そして、下障子４の傾斜によって樹脂下框３７が回動して第二軟質樹脂下枠４９の第二ヒレ部４９ａを下方に押動し、第二ヒレ部４９ａは軟質樹脂であるため樹脂下框３７に押されて湾曲し、空間４２の閉鎖状態を維持する。しかも、樹脂下框３７の引手片３７ａも下方に傾斜するため、第一軟質樹脂下枠４８の第一ヒレ部４８ａにより近接する位置にくる。
【００３１】
そして、操作者が引手部３０、そして引手片３７ａを手で持ち上げて下障子４をガイド溝１５に沿って上昇させると、下障子４は下端の下框２４に固定した支持部１３ａとラッチ部とがガイド溝１５の傾斜溝１５ａと直線溝１５ｂに沿って上昇するため、図７に示すように上方に開放作動させることができて全開状態になる。この状態で第二ヒレ部４９ａは空間４２内で水平状態に復帰して保持される。
なお、下障子４は、支持部１３ａを引き上げるワイヤー１２の上端を連結したバランサー１１内の巻き上げばねの付勢力によって任意の開口位置で停止する。
【００３２】
次に全開状態の下障子４を閉鎖させるには、下障子４がガイド溝１５の例えば直線溝１５ｂで上障子３と平行に保持された位置から、操作者が引手部３０や引手片３７ａを把持してガイド溝１５に沿って下障子４を降下させる。そして、下障子４は支持部材１３が傾斜溝１５ａの下端に到達した傾斜状態に保持される。次いで、支持部１３ａを支点として下障子４を見込み方向屋外側、即ち上障子３の方向に回動させることでラッチ部材５７をガイド溝１５から外してその屋外側に設けた縦枠８，９に当接する。そして摺動棒５９を凹溝６０に嵌合させ、下障子４は図３に示す上障子３と上下方向に平面状に重なった閉鎖位置に至る。
【００３３】
次に、上げ下げ窓１の上下障子３，４の屋外側を掃除する掃除モードの場合、閉鎖モードにある下障子４を若干持ち上げて支持部材１３を支点として屋内側に回動させ、傾斜状態の開口モードよりも更に屋内側に傾斜させる。すると、下障子４はラッチ部材５７がガイド溝１５から離脱し、支持部材１３がガイド溝１５の傾斜溝１５ａの側壁に当接すると共に樹脂下框３７の引手片３７ａが第二軟質樹脂下枠４９に当接することでその傾斜角に保持される。この状態で下障子４の屋外側のトリプルガラス２７や各框等を掃除できる。
しかも、その際、第二ヒレ部４９ａは樹脂下框３７の底部で押されて湾曲して密閉され、その屋内側でも引手片３７ａが第二軟質樹脂下枠４９に当接することで密閉される。そして、清掃終了後、下障子４を屋外側へ回動させることで枠体２の上障子３の下部に密閉される。
【００３４】
また、下枠７の屋内側に設けた第一ヒレ部４８ａと第二ヒレ部４９ａは引手片３７ａよりも軟質樹脂で形成されているから、操作者や子供等が誤って開口４２ａ内に指を挿入した状態で下障子４を屋内側に傾斜させた場合に、回動する引手片３７ａと第一ヒレ部４８ａとの間に指を挟んだとしても第一ヒレ部４８ａが容易に弾性変形して逃げるため、指を押圧して驚かすおそれがない。また、軟質樹脂の第二ヒレ部４９ａが樹脂下框３７で押されると容易に変形して逃げるため損傷の恐れはなく、下障子４を屋外方向に回動することで容易に復帰する。
【００３５】
上述のように本実施形態による上げ下げ窓１によれば、枠体２内で上障子３と共に下障子４を閉塞した状態で、下障子４の下框２４と下枠７との空間４２は樹脂下框３７の引手片３７ａと金属下枠４４の表面側に設けた第一軟質樹脂下枠４８の第一ヒレ部４８ａとを空間４２の開口４２ａ内に突出させたので、開口４２ａが狭められて断熱性を向上できる。しかも、第二軟質樹脂下枠４９の第二ヒレ部４９ａは樹脂下框３７に当接して封止し、更に第二ヒレ部４９ａの先端には補助ヒレ部４９ｂも形成したため、断熱性を一層向上できる。
また、下枠７の屋内側に固定した第一及び第二軟質樹脂下枠４８，４９は、第三ヒレ部４９ｃと共に密閉された中空のホロー部を縦横方向に配列形成したから更に断熱性を向上できる。
【００３６】
また、下枠７に設けた第一ヒレ部４８ａと第二ヒレ部４９ａは引手片３７ａよりも軟質樹脂であるから、操作者や子供等が誤って開口４２ａ内に指を挿入した状態で下障子４を屋内側に傾斜させた場合でも、第一ヒレ部４８ａが容易に弾性変形して逃げるため、引手片３７ａで指を押圧して驚かすおそれがない。また、第二ヒレ部４９ａが樹脂下框３７で押されると容易に弾性変形して逃げるため損傷しない。
【００３７】
なお、本発明による上げ下げ窓１は、上述した実施形態に限定されるものではなく、本発明の要旨を逸脱しない範囲で適宜の変更や置換等が可能である。
上述した実施形態では、下枠７の第一ヒレ部４８ａは下向きに傾斜しており、下框２４の引手片３７ａと非接触で空間４２の開口４２ａに突出して狭めるようにしたが、引手片３７ａと当接するように構成してもよく、この場合には一層断熱性が向上する。
【００３８】
また、上述した実施形態による上げ下げ窓１では、上障子３と下障子４はパネルとしてトリプルガラス２１、２７を収納した構成であるが、本発明はこのような上障子３と下障子４に限定されるものではなく、パネルが単層ガラスやペアガラスであってもよい。これらの場合には、上下障子３、４の見込み方向の厚みが比較的小さくなるため、開口４２ａの引手片３７ａから下枠７の第一ヒレ部４８ａまでの距離をより短い寸法に設定できる。
また、上述した実施形態では第二軟質樹脂下枠４９から第三ヒレ部４９ｃが第一軟質樹脂下枠４８に延びて新たなホロー部を形成するようにしたが、第三ヒレ部４９ｃは第一軟質樹脂下枠４８から第二軟質樹脂下枠４９に延びて当接することで、別個のホロー部を形成するように構成してもよい。
【００３９】
また、上述した実施形態では下枠７の屋内側に空間４２内に突出する第一ヒレ部４８ａと第二ヒレ部４９ａを設けたが、いずれか一方のみを設ける構成を採用してもよい。また、第二ヒレ部４９ａを下障子４の樹脂下框３７の底部に当接するように構成したが、第二ヒレ部４９ａは下障子４の樹脂下框３７に近接して非接触に構成してもよく、この場合でも屋外と屋内との間の断熱効果を十分発揮できる。
なお、下障子４の下框２４に設けた樹脂下框３７に設けた引手片３７ａは突出部を構成するが、樹脂下框３７に引手片３７ａを設けなくてもよく、この場合、第一ヒレ部４８ａが樹脂下框３７に近接する位置に突出する構成を有して開口４２ａを狭めることになる。
【符号の説明】
【００４０】
１  上げ下げ窓
２  枠体
３  上障子
４  下障子
７  下枠
８，９  縦枠
１１  バランサー
１２  ワイヤー
１３  支持部材
１３ａ  支持部
１５  ガイド溝
１５ａ  傾斜溝
１５ｂ  直線溝
２１、２７  トリプルガラス
２３  上框
３０  引手部
３７  樹脂下框
３７ａ  引手片
３８  金属下框
４０  支持部材
４０ａ  支持部
４２  空間
４２ａ  開口
４８  第一軟質樹脂下枠
４８ａ  第一ヒレ部
４９  第二軟質樹脂下枠
４９ａ  第二ヒレ部
４９ｂ  補助ヒレ部
４９ｃ  第三ヒレ部
【図１】
0006302369.tif 000002
【図２】
0006302369.tif 000003
【図３】
0006302369.tif 000004
【図４】
0006302369.tif 000005
【図５】
0006302369.tif 000006
【図６】
0006302369.tif 000007
【図７】
0006302369.tif 000008
【図８】
0006302369.tif 000009
【図９】
0006302369.tif 000010